(57)【要約】      （修正有）【課題】高価な着物であっても、生地を傷めずに、通常の洗濯では落ちないような頑固な染みを簡単に除去することのできる染み抜き装置を提供する。【解決手段】容器３内に、水、洗剤、適量の蛋白質分解酵素、消泡剤を入れ、その水溶液２中に発泡装置４を沈めて小さな気泡を発生させる。そうした水溶液２中に、染みの付いた着物５を浸漬し、その上から押さえ蓋６で押さえて着物５の浮上を阻止する。そうして所定時間置くことにより、気泡と蛋白質分解酵素の相乗作用によって頑固な染みも綺麗に抜け落ちる。【選択図】図１
0003199004.tif 000002
【実用新案登録請求の範囲】
【請求項１】
洗剤と蛋白質分解酵素と消泡剤とを水に添加した水溶液と、その水溶液を蓄える容器と、その容器中で気泡を発生させる発泡装置と、前記水溶液に浸漬された着物を上から押さえてその浮上を阻止する押さえ蓋とを備えたことを特徴とする染み抜き装置。
【請求項２】
前記発泡装置は、蛇行させた鉛管の上下面に複数の孔を設け、その鉛管に圧縮空気を送り込んで複数の孔から気泡を発生させるようにしたものである請求項１に記載の染み抜き装置。
【請求項３】
前記押さえ蓋は、前記気泡によって浮き上がる着物を溶液中に沈める重さを有し、その蓋の全面には、前記気泡を逃がす複数の孔が設けられていることを特徴とする請求項１に記載の染み抜き装置。
【考案の詳細な説明】
【技術分野】
【０００１】
本考案は、通常の洗濯では落ちない頑固な染みを除去する染み抜き装置に関する。
【背景技術】
【０００２】
衣服に付着した種々の染みは、素早く洗濯することで簡単に落とせるが、汗や日焼けによる黄ばみ、カビ等による染み、その他、長期保存によって生じた染みは、通常の洗濯では落ちない問題がある。
【０００３】
特に絵柄のある着物には、漂白剤は使えないから、ブラシや刷毛等で根気よく擦るしかないが、和服等の高価な絹織物では、生地を傷めないようにする必要があるため、こうした着物の染み抜きは、専門業者の間でも特に敬遠されていた。
【考案の概要】
【考案が解決しようとする課題】
【０００４】
本考案は、このような高価な着物であっても、生地を傷めずに、通常の洗濯では落ちないような頑固な染みを簡単に除去することのできる染み抜き装置を提供することを課題とする。
【課題を解決するための手段】
【０００５】
本考案に係る染み抜き装置は、洗剤と蛋白質分解酵素と消泡剤とを水に添加した水溶液と、その水溶液を蓄える容器と、その容器中で気泡を発生させる発泡装置と、前記水溶液に浸漬された着物を上から押さえてその浮上を阻止する押さえ蓋とを備えたことを特徴とする。
【０００６】
市販されている蛋白質分解酵素としては、例えば「ビオタミラーゼ」（ナガセケムテックス株式会社）、『プロテアーゼＮ「アマノ」』（天野エンザイム株式会社）等があり、これらの中から少なくとも１種を適宜選択して使用する。この酵素は、水温によって効果が左右されるが、大凡４０リットルのぬるま湯に対してコップ半分程度を目安とする。その程度の添加量であれば、ぬるま湯に３０分程度着物を浸漬すれば、殆どの染みは抜けるから、その程度の浸漬で染み抜きが完了するように、蛋白質分解酵素の添加量を加減する。
【０００７】
容器は、着物全体が浸漬できる容積を備えたものであれば十分であるが、発泡装置を浸漬させることから、例えば、水が４０リットル入る容積のものを使用する。
【０００８】
発泡装置は、蛇行させた鉛管の上下面に一定ピッチで複数の孔を設けたもので、その孔の直径は、約１ｍｍ程度にしている。そうした鉛管中にコンプレッサーから圧縮空気を送り込んで、各孔から微小な気泡を発生させる。鉛管の上面に設けた複数の孔は、水溶液に浸漬された着物に気泡を直接当てることによって染み抜きを促進する。また、下面に設けた複数の孔は、容器の底に沈殿する蛋白質分解酵素を攪拌する。これにより、蛋白質分解酵素の溶解と活性を促進する。  
【０００９】
消泡剤は、市販のものを使用する。一例として挙げれば、消泡シリコーンTSA732（モメンティブ・パフォーマンス・マテリアルズ・ジャパン合同会社製）を挙げることができる。これを添加することにより、容器から洗剤の泡が溢れるのを抑制することができる。押さえ蓋は、例えば、浸漬された着物の浮上を押さえるだけの重さのある厚さ１〜２ｃｍ程度のアクリル樹脂板に、複数の孔を設けたものを使用する。これにより、気泡を蓄えた着物が風船のように膨らんで水溶液から浮き上がるのを防止する。このアクリル樹脂板に代えて、重い金属性のフレームにネットを張ったものでも良い
【００１０】
使用に際しては、容器内に４０リットルの水、若しくは、ぬるま湯を入れ、そこに、洗剤とコップ半分程度の蛋白質分解酵素と消泡剤とを入れて水溶液を作り、そこに発泡装置を沈める。その溶液中に、染みの付いた着物を漬け、その上から押さえ蓋を被せて発泡装置から気泡を発生させる。その状態で、水温に依存するが、冬場であれば１時間弱、夏場であれば３０分程度放置しておく。すると、発泡装置が発生する気泡と蛋白質分解酵素との相乗作用により、着物の頑固な染みは、完璧に除去される。
【考案の効果】
【００１１】
本考案によれば、通常の洗濯では落ちない黄ばみや日焼けによる黄変、カビ等の染みであっても、気泡と蛋白質分解酵素との相乗作用によってほぼ完璧に除去することができるから、特に高価な絹織物等に使用すれば、生地を傷めずに、短時間で染み抜きを行うことができる。
【図面の簡単な説明】
【００１２】
【図１】本考案に係る染み抜き装置の実施形態の外観斜視図を示す。
【考案を実施するための形態】
【００１３】
以下、図１を参照しながら、本考案の一実施形態を説明する。
【００１４】
図１において、染み抜き装置１は、洗剤と適量の蛋白質分解酵素と消泡剤とが水に添加された水溶液２と、その水溶液２を蓄える容器３と、その容器３内に浸漬されて気泡を発生する発泡装置４と、前記水溶液２に浸漬された着物５を上から押さえてその浮上を阻止する押さえ蓋６とを備えたものである。
【００１５】
容器３は、約４０リットル程度の水が入る直方体のプラスチック容器である。発泡装置４は、蛇行させた鉛管４０の上下面に直径１ｍｍ程度の孔４１を一定ピッチで開けたもので、その鉛管４０中にコンプレッサーから圧縮空気４７を送り込んで各孔４１から気泡を発生させるようにしている。この鉛管４０に代えて、塩化ビニールパイプで成形しても良いが、その場合には、塩ビパイプに錘を付けて、それが浮上しないようにしておく。蛇行させた鉛管４０の両端は、キャップ４２で封止し、その鉛管４０の中程にチーズ４３を介して立ち上がり管４４を接続している。また、その立ち上がり管４４の先端には、エアー配管用のジョイント４５を取り付けている。
【００１６】
このジョイント４５には、耐圧ホース４６が接続され、その耐圧ホース４６の先端は、図示しないエアーコンプレッサーに接続されて、鉛管４０内に圧縮空気４７を送り込むようになっている。これにより、鉛管４０の上下面に設けられた各孔４１から気泡を発生させることができる。
【００１７】
押さえ蓋６は、浮かび上がる着物５を上から押さえて、着物５を水溶液２に沈める作用をなす。そのため、十分な重さを備えた、透明で、厚手のアクリル樹脂板を用いている。また、その蓋６の全面には、上下に貫通する複数の孔６０を設けている。この孔６０は、着物５を透過した気泡を逃がす作用をする。
【００１８】
この染み抜き装置１を使用するときは、容器３内に、発泡装置４を沈め、そこに４０リットルの水を満たして、洗剤とコップ半分程度の蛋白質分解酵素と消泡剤とを添加して水溶液２を作る。そして、コンプレッサーを働かせて鉛管４０内に圧縮空気４７を送り込みながら、そこに染みの付いた着物５を漬け、その上から押さえ蓋６を被せて沈める。すると、鉛管４０の複数の孔４１から小さな気泡が絶えず発生し、それが浸漬された着物５に当たって染み抜きを促進する。また、鉛管４０下面の複数の孔４１から発生する気泡は、容器３の底に沈殿した蛋白質分解酵素を攪拌してその溶解を促進する。
【００１９】
冬場には、水溶液２に防水仕様のヒーターを沈めて、水溶液２をぬるま湯程度に暖める。夏場は、水道水のままでも良い。そして、３０分ほどが経過したら、染み抜きの程度を確認し、染みが抜けていれば、着物５を取り出して水洗いする。
【００２０】
その後は、通常の洗濯と同様、水切りをしてから乾燥させれば、仕立てた時の色合いが復元する。
【００２１】
以上、本考案の一実施形態を説明したが、この染み抜き装置１は、絹織物以外の着物にも広く適用可能である。
【符号の説明】
【００２２】
１      染み抜き装置
２      水溶液
３      容器
４      発泡装置
５      着物
６      押さえ蓋
４０      鉛管
４１      孔  
【図１】
0003199004.tif 000003